(57)【要約】【課題】無効なＲＦ信号出力を自動的に遮断する放送信号中継装置を提供する。【解決手段】通信ネットワークを介して伝送されるパケットを受信するＩＰ処理部１と、該受信パケットに含まれる放送信号を放送波信号に変換するＯＦＤＭ変調部３と、前記通信ネットワークを介して伝送されるパケットの異常を検出した場合に、放送波信号の出力を停止するＲＦ出力制御部４と、を備える。【選択図】図２
2009218884.tif 000002
【特許請求の範囲】
【請求項１】
通信ネットワークを介して伝送されるパケットを受信するパケット処理手段と、
該受信パケットに含まれる放送信号を放送波信号に変換する信号変換手段と、
前記通信ネットワークを介して伝送されるパケットの異常を検出した場合に、放送波信号の出力を停止する出力制御手段と、
を備えたことを特徴とする放送信号中継装置。
【請求項２】
放送波信号の出力をオンオフするスイッチを設けたことを特徴とする請求項１に記載の放送信号中継装置。
【請求項３】
前記信号変換手段の電源をオンオフするスイッチを設けたことを特徴とする請求項１に記載の放送信号中継装置。
【請求項４】
前記スイッチの制御値を保持するレジスタを設けたことを特徴とする請求項２又は請求項３に記載の放送信号中継装置。
【請求項５】
前記出力制御手段は、前記通信ネットワークを介して伝送されるパケットが正常に復帰した場合に、放送波信号の出力を再開することを特徴とする請求項１から請求項４のいずれか１項に記載の放送信号中継装置。
【請求項６】
前記出力制御手段は、前記通信ネットワークからのパケット受信が途絶えた場合に、放送波信号の出力を停止することを特徴とする請求項１から請求項４のいずれか１項に放送信号中継装置。
【請求項７】
前記出力制御手段は、前記パケット受信が再開した場合に、放送波信号の出力を再開することを特徴とする請求項６に記載の放送信号中継装置。
【請求項８】
前記パケット処理手段は、受信パケットが放送信号を有するか否かを判定し、
前記出力制御手段は、受信パケットが放送信号を有さない場合に、放送波信号の出力を停止する、
ことを特徴とする請求項１から請求項４のいずれか１項に記載の放送信号中継装置。
【請求項９】
前記出力制御手段は、受信パケットが放送信号を有する場合に、放送波信号の出力を再開することを特徴とする請求項８に記載の放送信号中継装置。
【請求項１０】
前記パケット処理手段は、受信パケットが停波信号を有するか否かを判定し、
前記出力制御手段は、受信パケットが停波信号を有する場合に、放送波信号の出力を停止する、
ことを特徴とする請求項１から請求項９のいずれか１項に記載の放送信号中継装置。
【請求項１１】
各放送波に含まれる放送信号の放送ＴＳパケットをＩＰパケットに変換して通信ネットワークを介してマルチキャスト伝送されるＩＰパケットを選択受信し、前記ＩＰパケットのペイロード部分から放送信号である放送ＴＳパケットを取得するとともに、マルチキャスト伝送されるＩＰパケットの状態判定により異常検出を行うＩＰ処理部と、
前記ＩＰ処理部により取得された放送ＴＳパケットを内部のバッファに一時的に保存し、バッファの空き容量を一定の範囲内に保つように一定の間隔で出力し、出力する放送ＴＳパケットのパケット量に基づいて同期クロックを生成するＴＳ処理クロック同期部と、
前記同期クロックを用いて、前記ＴＳ処理クロック同期部から出力された放送ＴＳパケットをＯＦＤＭ変調してＲＦ信号を生成するＯＦＤＭ変調部と、
前記ＩＰ処理部が異常検出の判定をなした場合にＯＦＦのＲＦ出力制御判定の値を出力するＲＦ出力制御部と、
前記ＲＦ出力制御部からＲＦ出力制御判定の値を書きこまれるレジスタと、
前記レジスタに記憶されたＲＦ出力制御判定の値を一定周期で読み込み、ＲＦ出力制御判定の値に基づいて制御信号を出力するドライバと、
前記ドライバからの制御信号を受けてＯＦＤＭ変調部の出力をON・OFFするスイッチと、
を備えたことを特徴とする放送信号中継装置。
【発明の詳細な説明】
【技術分野】
【０００１】
本発明は、放送信号中継装置に関する。
【背景技術】
【０００２】
近年、ＩＰ（Ｉｎｔｅｒｎｅｔ  Ｐｒｏｔｏｃｏｌ）網を利用したマルチキャスト（ＩＰマルチキャスト）等を用いて、地上デジタル放送等の放送ＴＳ（Ｔｒａｎｓｐｏｒｔ  Ｓｔｒｅａｍ）パケットやＭＰＥＧ２−ＴＳ（Ｍｏｖｉｎｇ  Ｐｉｃｔｕｒｅ  Ｅｘｐｅｒｔｓ  Ｇｒｏｕｐ ｐｈａｓｅ  2−Ｔｒａｎｓｐｏｒｔ  Ｓｔｒｅａｍ）パケットを通信網経由で伝送するサービスに関する検討が行われている（例えば、非特許文献１参照）。ここで、放送ＴＳパケットには番組データ等の放送信号が格納されている。
例えば、このようなサービスにおいて、各放送波に含まれる放送ＴＳパケットをＩＰパケットに変換して、ＩＰ網等の通信網経路で宅内まで配信し、専用の受信装置を経由してテレビ受信機へ接続する方式がある。
【非特許文献１】「地上デジタルテレビジョン放送の伝送方式標準規格」、社会法人電波産業会、ＡＲＩＢ ＳＴＤ−Ｂ３１、１．７版、平成１９年９月２６日
【発明の開示】
【発明が解決しようとする課題】
【０００３】
しかしながら、従来技術として述べた方式では、ユーザ宅内のテレビ受信機毎に受信装置が必要となる上、宅内配線も行う必要があるなど、ユーザにとっての負担が重くなるという問題があった。
そこで現在、ＩＰパケットを選択受信し、受信したＩＰパケットから放送ＴＳパケットを抽出し、その放送ＴＳパケットをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）変調することにより地上デジタル放送等の放送波信号であるＲＦ（Ｒａｄｉｏ  Ｆｒｅｑｕｅｎｃｙ）信号に変換してテレビ受信機へ出力する放送信号中継装置を検討している。
この放送信号中継装置おいて、対象のＩＰパケットの入力がない場合には、無効なＲＦ信号を出力したくない、という課題がある。
本発明は上記の点に鑑みてなされたものであり、その目的は、無効なＲＦ信号出力を自動的に遮断する放送信号中継装置を提供することにある。
【課題を解決するための手段】
【０００４】
本発明は上記の課題を解決するためになされたものであり、通信ネットワークを介して伝送されるパケットを受信するパケット処理手段と、該受信パケットに含まれる放送信号を放送波信号に変換する信号変換手段と、前記通信ネットワークを介して伝送されるパケットの異常を検出した場合に、放送波信号の出力を停止する出力制御手段と、を備えたことを特徴とする放送信号中継装置である。
【０００５】
また、本発明の一態様は、上記の放送信号中継装置において、放送波信号の出力をオンオフするスイッチを設けたことを特徴とする。
【０００６】
また、本発明の一態様は、上記の放送信号中継装置において、前記信号変換手段の電源をオンオフするスイッチを設けたことを特徴とする。
【０００７】
また、本発明の一態様は、上記の放送信号中継装置において、前記スイッチの制御値を保持するレジスタを設けたことを特徴とする。
【０００８】
また、本発明の一態様は、上記の放送信号中継装置において、前記出力制御手段は、前記通信ネットワークを介して伝送されるパケットが正常に復帰した場合に、放送波信号の出力を再開することを特徴とする。
【０００９】
また、本発明の一態様は、上記の放送信号中継装置において、前記出力制御手段は、前記通信ネットワークからのパケット受信が途絶えた場合に、放送波信号の出力を停止することを特徴とする。
【００１０】
また、本発明の一態様は、上記の放送信号中継装置において、前記出力制御手段は、前記パケット受信が再開した場合に、放送波信号の出力を再開することを特徴とする。
【００１１】
また、本発明の一態様は、上記の放送信号中継装置において、前記パケット処理手段は、受信パケットが放送信号を有するか否かを判定し、前記出力制御手段は、受信パケットが放送信号を有さない場合に、放送波信号の出力を停止する、ことを特徴とする。
【００１２】
また、本発明の一態様は、上記の放送信号中継装置において、前記出力制御手段は、受信パケットが放送信号を有する場合に、放送波信号の出力を再開することを特徴とする。
【００１３】
また、本発明の一態様は、上記の放送信号中継装置において、前記パケット処理手段は、受信パケットが停波信号を有するか否かを判定し、前記出力制御手段は、受信パケットが停波信号を有する場合に、放送波信号の出力を停止する、ことを特徴とする。
【００１４】
また、本発明の一態様は、各放送波に含まれる放送信号の放送ＴＳパケットをＩＰパケットに変換して通信ネットワークを介してマルチキャスト伝送されるＩＰパケットを選択受信し、前記ＩＰパケットのペイロード部分から放送信号である放送ＴＳパケットを取得するとともに、マルチキャスト伝送されるＩＰパケットの状態判定により異常検出を行うＩＰ処理部と、前記ＩＰ処理部により取得された放送ＴＳパケットを内部のバッファに一時的に保存し、バッファの空き容量を一定の範囲内に保つように一定の間隔で出力し、出力する放送ＴＳパケットのパケット量に基づいて同期クロックを生成するＴＳ処理クロック同期部と、前記同期クロックを用いて、前記ＴＳ処理クロック同期部から出力された放送ＴＳパケットをＯＦＤＭ変調してＲＦ信号を生成するＯＦＤＭ変調部と、前記ＩＰ処理部が異常検出の判定をなした場合にＯＦＦのＲＦ出力制御判定の値を出力するＲＦ出力制御部と、前記ＲＦ出力制御部からＲＦ出力制御判定の値を書きこまれるレジスタと、前記レジスタに記憶されたＲＦ出力制御判定の値を一定周期で読み込み、ＲＦ出力制御判定の値に基づいて制御信号を出力するドライバと、前記ドライバからの制御信号を受けてＯＦＤＭ変調部の出力をON・OFFするスイッチと、を備えたことを特徴とする放送信号中継装置である。
【発明の効果】
【００１５】
本発明によれば、放送信号中継装置は、通信ネットワークを介して伝送されるパケットの異常を検出した場合に、放送波信号の出力を停止するので、無効な放送波信号（ＲＦ信号）の出力を自動的に遮断することができる。これにより、不必要な帯域へのＲＦ信号の出力が停止し、電波干渉やユーザのテレビ受信機等の故障等の影響を与える可能性が軽減される。
【発明を実施するための最良の形態】
【００１６】
以下、図面を参照しながら本発明の実施形態について詳しく説明する。
図１は、本発明の実施形態によるＩＰ放送システムの全体構成を示す構成図である。図１に示す放送通信システムは放送信号中継装置１００と、アンテナ２００と、チューナ３００と、配信サーバ４００と、ＲＦ信号を受信する市販のＴＶ受信機５００と、を含んで構成される。ここで、マルチキャスト伝送を行う設備を設置するところはヘッドエンド局と呼ばれ、本実施形態ではアンテナ２００、チューナ３００及び配信サーバ４００から構成される。
【００１７】
アンテナ２００は、ヘッドエンド局などに設けられる地上デジタル放送対応のアンテナで、地上デジタル放送の放送波信号であるＲＦ信号を受信する。
チューナ３００は、ヘッドエンド局などに設けられる地上デジタル放送対応のチューナで、アンテナ２００で受信したＲＦ信号から、各放送チャンネル（以下、単にチャンネルと呼ぶ）の放送ＴＳパケットを取得する。
【００１８】
配信サーバ４００は、ヘッドエンド局などに設けられるサーバ装置で、チューナ３００で取得した放送ＴＳパケットをＩＰパケット化して、マルチキャストで放送信号中継装置１００へ送信する。ここで、配信サーバ４００は、放送ＴＳパケット７個を１個のＩＰパケットのペイロード領域に格納し、ＲＦＣ２２５０で規定されるＲＴＰ（Ｒｅａｌ−ｔｉｍｅ  Ｔｒａｎｓｐｏｒｔ  Ｐｒｏｔｏｃｏｌ）ヘッダをつけてＲＴＰパケットとすることにより、ＩＰパケット化する。この際、必要に応じてＮＵＬＬＴＳと呼ばれる無効なＴＳパケットは除かれる。また、配信サーバ４００は、セキュリティを確保するために、ＩＰパケットのペイロード領域を必要に応じて暗号化する。また、配信サーバ４００は、ＩＰ網でのパケットロス等に対応できるようにＦＥＣ（Ｆｏｒｗａｒｄ  Ｅｒｒｏｒ  Ｃｏｒｒｅｃｔｉｏｎ）等の技術を用いてエラー訂正用のパケットをＩＰパケットと共に送信する。
【００１９】
放送信号中継装置１００は、マルチキャスト送信されたＩＰパケットを選択受信し、ＩＰパケットに含まれる放送ＴＳパケットをＲＦ信号に変換してＴＶ受信機５００に出力する。
図２は、本実施形態における放送信号中継装置１００の構成を示すブロック図である。
放送信号中継装置１００は、各チャンネルのＩＰパケットをＲＦ信号に変換するｎ個（ｎは１以上の整数）の変換装置１０と、変換装置１０から出力された複数チャンネルのＲＦ信号を１つにまとめて出力する混合器２０と、を含んで構成される。変換装置１０は、チャンネルの各々に対応して設けられる。変換装置１０は、ＩＰ処理部１と、ＴＳ処理クロック同期部２と、ＯＦＤＭ変調部３と、ＲＦ出力制御部４と、ＲＦ出力制御判定の値を書き込まれるレジスタ５と、ドライバ６と、スイッチ７と、を含んで構成される。
【００２０】
ＩＰ処理部１は、各放送波に含まれる放送信号の放送ＴＳパケットをＩＰパケットに変換して通信ネットワークを介してマルチキャスト伝送されるＩＰパケットを選択受信し、そのＩＰパケットのペイロード部分から放送信号である放送ＴＳパケットを取得し、ＴＳ処理クロック同期部２に出力する。この際、ＩＰ処理部１は、エラー訂正用パケットからロス等があった場合には、ＩＰパケットのエラー訂正を行う。また、ＩＰ処理部１は、受信したＩＰパケットが対象とする放送ＴＳパケットを含むＩＰパケットであるか否かの判定を行い、対象の放送ＴＳパケット以外のデータを含むＩＰパケットを受信した場合には、破棄する。また、ＩＰ処理部１は、受信するＩＰパケットの状態判定により異常を検出する機能、つまりＩＰ網を経由した地上デジタル放送が停波、またはなんらかの理由により停止されているか否かを判定する機能を有する。判定処理の詳細については後述する。
【００２１】
ＴＳ処理クロック同期部２は、入力された放送ＴＳパケットを内部のバッファに一時的に保存し、バッファの空き容量を一定の範囲内に保つように一定の間隔でＯＦＤＭ変調部３に出力する。また、ＴＳ処理クロック同期部２は、出力する放送ＴＳパケットのパケット量に基づいて同期クロックを生成し、放送ＴＳパケットと共にＯＦＤＭ変調部３に出力する。
【００２２】
ＯＦＤＭ変調部３は、入力された同期クロックにＯＦＤＭ変調部３が持つクロックを同期させて、入力された放送ＴＳパケットをＯＦＤＭ変調してＲＦ信号を生成する。また、ＯＦＤＭ変調部３は、生成したＲＦ信号を、スイッチ７を介して混合器２０に出力する。
【００２３】
ＲＦ出力制御部４は、ＩＰ処理部１の状態に基づいて、レジスタ５にＲＦ出力制御判定の値を書き込む。ＲＦ出力制御部４は、ＩＰ処理部１によりＩＰ網を経由した地上デジタル放送が停波、またはなんらかの理由により停止されていると判定された場合には、ＲＦ出力制御判定の値をＯＦＦにする。また、ＩＰ処理部１が正常にＩＰ信号を受信している場合には、ＲＦ出力制御判定の値がＯＦＦになっているか否かを判定し、ＲＦ出力制御判定の値がＯＦＦになっている場合には、ＲＦ出力制御判定の値をＯＮにする。
【００２４】
ドライバ６は、レジスタ５に記憶されたＲＦ出力制御判定の値を一定周期で読み込み、ＲＦ出力制御判定の値に基づいてスイッチ７を制御する制御信号をスイッチ７に出力する。つまり、ドライバ６は、ＲＦ出力制御判定の値がＯＦＦに変更された場合には、ＲＦ信号の出力を停止するための制御信号をスイッチ７に出力する。また、ドライバ６は、ＲＦ出力制御判定の値がＯＮに変更された場合には、ＲＦ信号の出力を再開するための制御信号をスイッチ７に出力する。
【００２５】
スイッチ７は、ドライバ６からの制御信号に基づいてＯＦＤＭ変調部３の出力をＯＮ・ＯＦＦする。つまり、スイッチ７は、ＯＦＤＭ変調部３の出力をターミネータまたは混合器２０に接続される出力回路に切り替える機能を有している。スイッチ７は、ターミネータまたは出力回路に接続されるリレー回路７Ａと、電流が流れるとリレー回路７Ａを切り替えるコイル７Ｂと、から構成されている。ここで、スイッチ７は、リレー回路７Ａを出力回路に接続することにより、ＯＦＤＭ変調部３の出力を停止する。また、スイッチ７は、リレー回路７Ａをターミネータに接続することにより、ＯＦＤＭ変調部３の出力を再開する。
【００２６】
図３は、本実施形態のＩＰ処理部１及びＲＦ出力制御部４におけるスイッチ切り替え制御処理の流れの一例を表すフローチャートである。
ステップＳ１では、まず、ＩＰ処理部１が受信したＩＰパケットに対象の放送ＴＳパケットが含まれているか否かを判定する。対象の放送ＴＳパケットが含まれている場合は、ステップＳ２に移行して、ＩＰ処理部１がＩＰパケット受信カウンタの値を１加算する。
次のステップＳ３では、ＩＰ処理部１は、ＩＰパケット受信カウンタが加算されているか否かを判定する。ＩＰパケット受信カウンタが加算されている場合には、ステップＳ７に移行する。
一方、ＩＰパケット受信カウンタが加算されていない場合には、ステップＳ４に進んで、ＩＰ処理部１は、ＩＰパケット受信が停止している時間を示すリレータイマの値を１加算する。
【００２７】
ステップＳ５では、ＩＰ処理部１は、リレータイマが所定の監視時間より大きいか否かを判定する。リレータイマが監視時間より小さい場合には、ステップＳ１に移行する。
一方、リレータイマが監視時間より大きい場合には、ステップＳ６に進んで、ＲＦ出力制御部４がＲＦ出力制御判定の値をＯＦＦにする。これは、ＩＰ網を経由した地上デジタル放送が停波、またはなんらかの理由により停止されていると判定したためである。これにより、スイッチ７がＯＦＦになり、ＯＦＤＭ変調部３からのＲＦ信号の出力が停止する。
【００２８】
また、ステップＳ７では、ＩＰ処理部１がリレータイマの値を０に初期化する。これは、正常にＩＰパケットを受信できたと判定したためである。次に、ステップＳ８では、ＲＦ出力制御判定の値がＯＦＦか否かを判定する。ＲＦ出力制御判定の値がＯＮである場合には、ステップＳ１へ移行する。一方、ＲＦ出力制御判定の値がＯＦＦである場合には、次のステップＳ９に進んで、ＲＦ出力制御部４は、ＲＦ出力制御判定の値をＯＮにする。これにより、スイッチ７がＯＮになり、ＯＦＤＭ変調部３からのＲＦ信号の出力が再開する。
【００２９】
このように、本実施形態によれば、ＩＰ処理部１がＩＰ網を経由した地上デジタル放送が停波、またはなんらかの理由により停止されていると判定した場合、ＲＦ出力制御部４がＲＦ出力制御判定の値をＯＦＦにし、ＲＦ出力制御判定の値を読み込んだドライバ６がスイッチ７をＯＦＦにしてＲＦ信号の出力を停止する。これにより、無効なＲＦ信号出力を自動的に遮断することができる。また、ＯＦＤＭ変調部３の電源をＯＮにしたままＲＦ信号の出力を停止するため、ＯＦＤＭ変調部３の同期クロックを維持したままで復旧することができる。これにより、ＲＦ信号の出力停止からの復旧時、ＯＦＤＭ変調部３の初期化及び同期クロックの再同期化をする必要がなく、短時間で復旧することができる。
【００３０】
次に、本発明の第２の実施形態による放送信号中継装置１００について説明する。
本実施形態における放送信号中継装置１００は、配信サーバ４００から地上デジタル放送が停波していることを示す停波信号を受信すると、ＩＰ網を経由した地上デジタル放送が停波していると判定し、ＲＦ信号の出力を停止する。
【００３１】
図４は、本実施形態のＩＰ処理部１及びＲＦ出力制御部４におけるスイッチ切り替え制御処理の流れの一例を表すフローチャートである。
ステップＳ１１では、ＩＰ処理部１は、受信したＩＰパケットに停波信号が含まれるか否かを判定する。停波信号が含まれる場合には、ステップＳ１７へ移行する。停波信号が含まれない場合には、ステップＳ１２へ進む。
【００３２】
ステップＳ１２では、ＩＰ処理部１が受信したＩＰパケットに対象の放送ＴＳパケットが含まれているか否かを判定する。対象の放送ＴＳパケットが含まれている場合は、ステップＳ１３に移行して、ＩＰ処理部１がＩＰパケット受信カウンタの値を１加算する。
次のステップＳ１４では、ＩＰ処理部１は、ＩＰパケット受信カウンタが加算されているか否かを判定する。ＩＰパケット受信カウンタが加算されている場合には、ステップＳ１８に移行する。
一方、ＩＰパケット受信カウンタが加算されていない場合には、ステップＳ１５に進んで、ＩＰ処理部１は、ＩＰパケット受信が停止している時間を示すリレータイマの値を１加算する。
【００３３】
ステップＳ１６では、ＩＰ処理部１は、リレータイマが所定の監視時間より大きいか否かを判定する。リレータイマが監視時間より小さい場合には、ステップＳ１１に移行する。
一方、リレータイマが監視時間より大きい場合には、ステップＳ１７に進んで、ＲＦ出力制御部４がＲＦ出力制御判定の値をＯＦＦにする。これは、ＩＰ網を経由した地上デジタル放送が停波、またはなんらかの理由により停止されていると判定したためである。これにより、スイッチ７がＯＦＦになり、ＯＦＤＭ変調部３からのＲＦ信号の出力が停止する。
【００３４】
また、ステップＳ１８では、ＩＰ処理部１がリレータイマの値を０に初期化する。これは、正常にＩＰパケットを受信できたと判定したためである。次に、ステップＳ１９では、ＲＦ出力制御部４がＲＦ出力制御判定の値がＯＦＦか否かを判定する。ＲＦ出力制御判定の値がＯＮである場合には、ステップＳ１１へ移行する。一方、ＲＦ出力制御判定の値がＯＦＦである場合には、次のステップＳ２０に進んで、ＲＦ出力制御部４は、ＲＦ出力制御判定の値をＯＮにする。これにより、スイッチ７がＯＮになり、ＯＦＤＭ変調部３からのＲＦ信号の出力が再開する。
【００３５】
このように、本実施形態によれば、配信サーバ４００から停波信号を受信すると、放送信号中継装置１００は、ＲＦ信号を停止する。これにより、配信サーバ４００において、地上デジタル放送の停波が検出された場合に、放送信号中継装置１００に直ちに通知することができる。
【００３６】
次に、この発明の第３の実施形態による放送信号中継装置６００について説明する。
図５は、本実施形態における放送信号中継装置６００の構成を示すブロック図である。本実施形態における放送信号中継装置６００は、ＩＰ網を経由した地上デジタル放送が停波、またはなんらかの理由により停止されていると判定した場合、ＯＦＤＭ変調部６３の電源をＯＦＦにしてＲＦ信号を停止する。
【００３７】
放送信号中継装置６００は、各チャンネルのＩＰパケットをＲＦ信号に変換するｎ個（ｎは１以上の整数）の変換装置６０と、変換装置６０から出力された複数チャンネルのＲＦ信号を１つにまとめて出力する混合器７０と、を含んで構成される。変換装置６０は、チャンネルの各々に対応して設けられる。変換装置６０は、ＩＰ処理部６１と、ＴＳ処理クロック同期部６２と、ＯＦＤＭ変調部６３と、ＲＦ出力制御部６４と、レジスタ６５と、ドライバ６６と、スイッチ６７と、を含んで構成される。
【００３８】
本実施形態におけるスイッチ６７は、ＯＦＤＭ変調部６３の電源をＯＮ・ＯＦＦする機能を持つコイル６７Ｂを含んで構成される。コイル６７Ｂは、ドライバ６６からＲＦ信号の出力を停止するための制御信号が入力されると、ＯＦＤＭ変調部６３の電源をＯＦＦにする。また、コイル６７Ｂは、ドライバ６６からＲＦ信号の出力を再開するための制御信号が入力されると、ＯＦＤＭ変調部６３の電源をＯＮにする。
他の構成は第１の実施形態及び第２の実施形態と同様であるので説明を省略する。
【００３９】
このような構成を持つ放送信号中継装置６００において、ＩＰ処理部６１がＩＰ網を経由した地上デジタル放送が停波、またはなんらかの理由により停止されていると判定した場合、ＲＦ出力制御部６４がレジスタ６５のＲＦ出力制御判定の値をＯＦＦにする。次に、レジスタ６５を一定周期で読み込むドライバ６６が、ＲＦ出力判定制御の値に基づいて制御信号をスイッチ６７へ出力してＯＦＤＭ変調部６３の電源をＯＦＦにする。これにより、ＯＦＤＭ変調部６３からのＲＦ信号の出力を停止する。
【００４０】
このように、本実施形態によれば、ＩＰ処理部６１がＩＰ網を経由した地上デジタル放送が停波、またはなんらかの理由により停止されていると判定した場合、ＲＦ出力制御部６４がＯＦＤＭ変調部６３の電源をＯＦＦにしてＲＦ信号の出力を停止する。これにより、無効なＲＦ信号出力を自動的に遮断することができる。
【００４１】
また、図３または図４に示す各ステップを実現するためのプログラムをコンピュータ読み取り可能な記録媒体に記録して、この記録媒体に記録されたプログラムをコンピュータシステムに読み込ませ、実行することにより、切り替え制御処理を行ってもよい。なお、ここでいう「コンピュータシステム」とは、ＯＳや周辺機器等のハードウェアを含むものであってもよい。
【００４２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では地上デジタル放送の放送通信システムについて説明したが、ＢＳ放送、ＣＳ放送等のテレビ放送のＩＰ放送システムに適用してもよい。
また、本実施形態においては、レジスタ５または６５にＲＦ出力制御判定の値を書き込んだが、レジスタ５または６５を用いずに、ＲＦ出力制御部４または６４から制御信号を直接スイッチ７または６７に出力してもよい。
【図面の簡単な説明】
【００４３】
【図１】本発明の第１の実施形態による放送通信システムの全体構成を示す構成図である。
【図２】本実施形態における放送信号中継装置の構成を示すブロック図である。
【図３】本実施形態のＩＰ処理部及びＲＦ出力制御部におけるスイッチ切り替え制御処理の流れの一例を表すフローチャートである。
【図４】本発明の第２の実施形態のＩＰ処理部及びＲＦ出力制御部におけるスイッチ切り替え制御処理の流れの一例を表すフローチャートである。
【図５】本発明の第３の実施形態における放送信号中継装置の構成を示すブロック図である。
【符号の説明】
【００４４】
１，６１…ＩＰ処理部  ２，６２…ＴＳ処理クロック同期部  ３，６３…ＯＦＤＭ変調部  ４，６４…ＲＦ出力制御部  ５，６５…レジスタ  ６，６６…ドライバ  ７，６７…スイッチ  ７Ａ…リレー回路  ７Ｂ，６７Ｂ…コイル  １０，６０…変換装置  ２０，７０…混合器  １００，６００…放送信号中継装置  ２００…アンテナ  ３００…チューナ  ４００…配信サーバ  ５００…ＴＶ受信機
【図１】
2009218884.tif 000003
【図２】
2009218884.tif 000004
【図３】
2009218884.tif 000005
【図４】
2009218884.tif 000006
【図５】
2009218884.tif 000007